(57)【特許請求の範囲】
【請求項１】
リビングヒンジ（１６、５０）を備える容器であって、
樹脂接着吸収剤および少なくとも１つの容器本体側取付機能部を含む容器本体（１２、３０）と、
容器閉鎖体（１４、４０）とを有しており、
当該容器閉鎖体（１４、４０）が、前記容器本体（１２、３０）に係合可能で前記本体を閉じる閉鎖部分（２４、４２）と、前記閉鎖部分（２４、４２）を前記本体に固定するために前記容器本体側取付機能部に適合性のある取付機能部（１８、４６）と、前記閉鎖部分（２４、４２）を前記取付機能部（１８、４６）に接続するリビングヒンジ（１６、５０）とを有し、
前記容器が射出成形容器であり、該射出成形容器が単一の樹脂接着吸収剤材料から形成され、且つ如何なる別体の吸収剤含有の別部材を含まず、
前記リビングヒンジ（１６、５０）の部分が、前記容器とは異なる吸収剤を含んでいない材料で成形される、容器。
【請求項２】
請求項１に記載の容器であって、前記容器本体（１２、３０）および容器閉鎖体（１４、４０）が第１および第２の曲げ弾性率を特徴とし、前記閉鎖体の前記曲げ弾性率が前記容器の前記曲げ弾性率より大きい、容器。
【請求項３】
請求項１に記載の容器であって、前記容器本体（１２、３０）が高密度のポリエチレンを含む、容器。
【請求項４】
請求項１に記載の容器であって、前記容器本体（１２、３０）がポリプロピレンを含む、容器。
【請求項５】
請求項３に記載の容器であって、前記容器本体（１２、３０）が約５から約５０重量％の間の乾燥剤を含む、容器。
【請求項６】
請求項５に記載の容器であって、前記容器本体（１２、３０）が約３０重量％の乾燥剤を含む、容器。
【請求項７】
請求項５に記載の容器であって、前記乾燥剤が、ゲルまたはシーブ、粘土、酸化カルシウム、あるいは炭素からなる群から選択される、容器。
【請求項８】
請求項１に記載の容器であって、前記容器本体（１２、３０）および前記容器閉鎖体（１４、４０）の色が異なる、容器。
【請求項９】
請求項１に記載の容器であって、前記樹脂接着吸収剤が樹脂接着乾燥剤を含む、容器。
【請求項１０】
請求項１に記載の容器であって、前記容器本体（１２、３０）が脱酸素剤を含む、容器。
【請求項１１】
請求項１０に記載の容器であって、前記樹脂接着吸収剤が樹脂接着乾燥剤を含む、容器。
【請求項１２】
請求項１に記載の容器であって、前記閉鎖体（１４、４０）上の前記取付機能部（１８、４６）が環状リング（１８、４６）を有する、容器。
【請求項１３】
リビングヒンジ（１６、５０）を備える容器であって、
樹脂接着吸収剤および少なくとも１つの容器本体側取付機能部を含む容器本体（１２、３０）と、
容器閉鎖体（１４、４０）とを有しており、
当該容器閉鎖体（１４、４０）が、前記容器本体（１２、３０）に係合可能で前記本体を閉じる閉鎖部分（２４、４２）と、前記閉鎖部分（２４、４２）を前記本体に固定するために前記容器本体側取付機能部に適合性のある取付機能部（１８、４６）と、前記閉鎖部分（２４、４２）を前記取付機能部（１８、４６）に接続するリビングヒンジ（１６、５０）とを有し、
前記閉鎖部分（２４、４２）上の前記取付機能部（１８、４６）が環状リング（１８、４６）を有し、
前記環状リング（１８、４６）が複数の孔（４８）を有する、容器。
【請求項１４】
請求項１３に記載の容器であって、前記容器本体側取付機能部が、複数の孔（４８）内へ延伸可能な複数の突出部（３２）を有する、容器。
【請求項１５】
請求項１に記載の容器であって、前記容器本体側取付機能部がテーパ領域を有する、容器。
【請求項１６】
請求項１に記載の容器であって、前記リビングヒンジ（１６、５０）がポリエチレンを含み、前記容器の残りの部分の少なくとも一部分が、酸素吸収添加物を含むポリエチレンを含む、容器。
【請求項１７】
請求項１に記載の容器であって、前記リビングヒンジ（１６、５０）およびキャップがポリエチレンを含み、前記容器の残りの部分の少なくとも一部分が、酸素吸収添加物を含むポリエチレンを含む、容器。
【請求項１８】
請求項１に記載の容器であって、前記容器の全体は、樹脂接着吸収剤の単一材料として成型されている、容器。
【請求項１９】
容器本体（１２）およびリビングヒンジ（１６）を有する容器を製造する方法であって、
酸素吸収添加物又は乾燥剤を含むプラスチック材料を含む第１の材料からの前記容器本体（１２）と、酸素吸収添加物又は乾燥剤を含まないプラスチック材料を含む、容器本体（１２）とリビングヒンジ（１６）とを一体に射出成形するステップを含み、
前記容器本体（１２）は、樹脂接着吸収剤の単一材料として成型され、且つ如何なる別体の吸収剤含有の別部材は含まない、方法。
【請求項２０】
請求項１９に記載の方法であって、前記射出成形ステップが２ショット射出成形処理を含み、ここでは、酸素吸収添加物又は乾燥剤を含む材料が１ステップで射出され、酸素吸収添加物又は乾燥剤を含まない材料が別のステップで射出される、方法。
【請求項２１】
請求項２０に記載の方法であって、前記１ステップが前記容器の少なくとも一部分を形成し、前記別のステップが少なくとも前記リビングヒンジ（１６、５０）を形成する、方法。
【請求項２２】
請求項１９に記載の方法であって、前記射出成形ステップがスリーショットモールディング処理を含み、
該スリーショットモールディング処理では、酸素吸収添加物又は乾燥剤を含む材料が１ステップで射出されて容器本体（１２、３０）を形成し、且つ酸素吸収添加物又は乾燥剤を含まない材料が前記別のステップで射出されてリビングヒンジ（１６、５０）を形成し、且つ酸素吸収添加物又は乾燥剤を含む材料が追加のステップで射出されて前記容器本体（１２、３０）に係合可能な閉鎖部分（２４、４２）を形成する、方法。
【請求項２３】
射出成型容器であって、
容器本体（１２）及び該容器本体（１２）と一体のリビングヒンジ（１６）を有し、
該容器本体（１２）は、乾燥剤を含む単一のプラスチック材料から形成され、且つ如何なる別体の乾燥剤含有の別部材を含まず、且つ該リビングヒンジ（１６）は、乾燥剤を含まないプラスチック材料からなる、容器。
【請求項２４】
請求項２３に記載の容器であって、更に前記リビングヒンジ（１６）と一体で且つ容器本本体と係合可能な閉鎖部分（２４）を有する、容器。
【請求項２５】
請求項２４に記載の容器であって、前記閉鎖部分（２４）は、乾燥剤を含むプラスチック材料から形成される、容器。
【発明の詳細な説明】
【技術分野】
【０００１】
[0001]本発明は、概して、食物、製薬品、およびその他のアイテムのための容器に関し、より詳細には、湿気の侵入に抵抗し、パッケージ内の水分の軽減を可能にし、リビングヒンジ（ｌｉｖｉｎｇ  ｈｉｎｇｅ）によって容器に取り付けられる閉鎖体を有するそのような容器に関する。
【背景技術】
【０００２】
[0002]最も一般的な樹脂ベースのヒンジであるリビングヒンジは、通常、比較的薄くて可撓性があり、容器の２つの剛性または半剛性の部品を一体に接合させ、それらをヒンジの線に沿って曲げるのを可能にする。好都合には、リビングヒンジは、ヒンジと、ヒンジのそれぞれの側に接続される２つのパッケージ構成要素とを同時に作る射出成形処理で製造される。リビングヒンジは便利であり、それらが使用される物品の価格を下げ、寿命が比較的長い。
【０００３】
[0003]製薬品および食物のパッケージング容器、さらには別の容器では、変位されることがないように閉鎖要素を閉じられているパッケージに取り付け、パッケージを容易に開けたり閉じたりすることを促進することがしばしば所望される。リビングヒンジはこれを行うための便利な手法を提供し、多種多様なこのようなパッケージに使用される。
【０００４】
[0004]また、パッケージ内の過度の水分によって劣化する食物および製薬品さらには別のアイテムのために使用されるパッケージでは、乾燥機能を有する材料、すなわち、材料自体に水蒸気を吸収してパッケージ内の湿り気を減少させるような成分を含む材料から作られるパッケージを提供することが所望される。このような材料は一般に知られており、記載されるタイプのパッケージは過去に提供されている。
【０００５】
[0005]湿気を吸収するプラスチック材料の組成物は、これまで、リビングヒンジを形成するためにこのような材料を使用することとは整合性がなかった。有用な量の湿気を吸収するために、容器を形成するのに使用されるプラスチックおよび別の樹脂は、乾燥材料（ｄｅｓｉｃｃａｎｔ  ｍａｔｅｒｉａｌ）などの高い割合の添加物を含まなければならない。適切な乾燥機能を提供するために十分な量の乾燥材料が存在することにより、プラスチック材料の性質が変化する。この材料は、リビングヒンジの材料に必要とされるように繰り返し応力を受けると、可撓性が低くなり、歪みおよび屈曲疲労を受けやすくなり、最終的に破損しやすくなる。
【０００６】
[0006]したがって、リビングヒンジを備える乾燥用パッケージは単一の材料から作られ得ないが、適切なリビングヒンジと適切な乾燥機能との両方を提供する。
【発明の概要】
【発明が解決しようとする課題】
【０００７】
[0007]本発明の目的は、これまでに知られている容器の制限に対処する、リビングヒンジを有する乾燥容器を提供することである。
【課題を解決するための手段】
【０００８】
[0008]簡単に述べると、リビングヒンジを備える自己乾燥容器が、樹脂接着吸収剤（ｒｅｓｉｎ  ｂｏｎｄｅｄ  ｓｏｒｂｅｎｔ）から作られる容器本体および少なくとも１つの取付機能部と、本体を閉じるための容器本体に係合可能である閉鎖部分、および閉鎖部を本体に固定するために容器本体上の取付機能部に適合性のある取付機能部、および閉鎖部分を取付機能部に接続するリビングヒンジを有する容器閉鎖体とを含む。
【０００９】
[0009]本発明の別の態様によると、容器の本体ならびに容器閉鎖体は、第１および第２の異なる曲げ弾性率を特徴とし、閉鎖体の曲げ弾性率は容器の曲げ弾性率より大きい。[0010]本発明の別の態様によると、容器本体は高密度のポリエチレンを含む。[0011]本発明の別の態様によると、容器本体はポリプロピレンを含む。[0012]本発明の別の態様によると、容器本体は、ゲルまたはシーブ（ｓｉｅｖｅ：ふるいで選別された材）、粘土、酸化カルシウム、あるいは炭素からなる群から選択される、約５から約５０重量％の間、好適には約３０重量％の乾燥剤を含む。[0013]本発明の別の態様によると、容器本体および容器の色が異なる。[0014]本発明の別の態様によると、樹脂接着吸収剤は樹脂接着乾燥剤（ｒｅｓｉｎ  ｂｏｎｄｅｄ  ｄｅｓｉｃｃａｎｔ）を含む。[0015]本発明の別の態様によると、容器本体は脱酸素剤を含む。[0016]本発明のさらに別の態様によると、閉鎖体上の取付機能部は環状リングを有する。[0017]本発明のさらに別の態様によると、環状リングは複数の孔を有する。[0018]本発明のさらに別の態様によると、容器本体上の取付機能部は、複数の孔内へ延伸可能な複数の突出部を有する。[0019]本発明のさらに別の態様によると、容器本体上の取付機能部はテーパ領域を有する。
【００１０】
[0020]本発明の新規な局面は,添付の特許請求の範囲に特に記載されている。本発明自体はさらなる目的および利点と共に、添付図面と併せて現在好適である本発明の実施形態の以下の詳細な説明を参照することによってより容易に理解され得る。
【図面の簡単な説明】
【００１１】
【図１】[0021]本発明による容器を示す斜視図である。
【図２】異なる視点から見た、本発明による容器を示す斜視図である。
【図３】[0022]容器本体および容器閉鎖体を分離して示す斜視図である。
【図４】[0023]容器本体に組み付けられている容器閉鎖体を示す斜視図である。
【図５】容器本体に組み付けられている容器閉鎖体を示す斜視図である。
【図６】[0024]容器閉鎖体を容器本体に固定するための対応する孔および突出部を有する、容器本体および容器閉鎖体を示す斜視図である。
【図７Ａ】[0025]２ショット射出成形によって作られた本発明の別の実施形態による容器を示す側面図である。
【図７Ｂ】２ショット射出成形によって作られた本発明の別の実施形態による容器を示す側面図である。
【発明を実施するための形態】
【００１２】
[0026]ここで図１を参照すると、本発明による容器が斜視図で示されている。概して１０で示される容器は、容器本体１２と、キャップを有する容器閉鎖体１４と、本体上に組み立てられる取付機能部１８とを含む。リビングヒンジ１６はキャップ２４と取付機能部１８との間に接続される。リビングヒンジ１６は、好適には、閉鎖体キャップ２４と取付機能部１８とに取り付けられる厚い部分２８、３０、ならびに、それらの厚い部分の間にある薄いヒンジ部分を有する。
【００１３】
[0027]好適には、閉鎖体１４、リビングヒンジ１６および取付機能部１８は、ポリエチレン、ポリプロピレン、または、リビングヒンジを作るのに適した性質を有する別の重合体などの、樹脂材料から作られる。容器本体１２は、好適には、高密度のポリエチレンまたはポリプロピレン、あるいは、水蒸気透過率の低い別の重合体などの、重合体から作られる。シリカゲル、シーブ、粘土、酸化カルシウムまたは炭素などの乾燥剤が、約５％から５０％の間、好適には約３０％の量で重合体に組み込まれる。乾燥剤の代わりにまたは乾燥剤に加えて、鉄ベースの脱酸素剤などの脱酸素剤が含まれてよい。特定の用途において有用である場合、香料入りの樹脂またはゲルが含まれてもよい。
【００１４】
[0028]図３は容器本体１２および閉鎖体１４を分離して示している。本体１２は概略円筒形である。本発明の一実施形態によると、本体１２は、基部２０のところのわずかに小さい直径から開いている端部２２のところのわずかに大きい直径まで勾配がつけられている。本体の開いている端部はわずかに外側に延在するリップ２６を有していてよい。閉鎖体１４は、本体１２の開いている端部２２に対して好適には嵌まる、おそらくはリップ２６に係合されるキャップ２４と、本体１２のテーパに適合するように好適には勾配がつけられた内側表面１９を有するリングの形態の環状取付機能部１８とを含む。キャップ２４および取付部材１８は、約０．２〜０．３ｍｍのより薄い厚さを有する薄いリビングヒンジ部分によって接続される２つの厚い部分２８、３０を有するリビングヒンジ１６によって接続される。厚い部分２８、３０はそれぞれキャップ２４および取付機能部１８に接続される。リビングヒンジ１６の正確な形態は本発明に関連して限定されず、任意の既知のヒンジ構成が使用されてよい。寸法は単なる例であり、材料または別の要素に応じて変化してよい。
【００１５】
[0029]好適には、閉鎖体１４は、ニートポリマー、すなわち、乾燥添加物または酸素吸収添加物を含まない重合体から形成される。好適には、取付機能部１８は、開いている端部２２に近傍の最終的な位置まで摺動するときに容器本体１２上にぴったり接合される。閉鎖体１４は、ポリエチレンまたはポリプロピレンあるいは別の重合材料から作られてよい。
【００１６】
[0030]図４および５は、容器閉鎖体１４がいかにして容器本体１２上に配置されるかを示している。図４に見られるように、閉鎖体１４は本体１２の閉じられた端部２０上にはめられ、図５に示されるように、より大きい開いている端部２２に向かって上に摺動され、そこで固定されて接合される。好適には、容器本体１２は勾配がつけられており、取付機能部１８の内側表面が適合するテーパを有する。
【００１７】
[0031]図６は本発明の別の実施形態を示しており、ここでは、容器本体３０が複数の突出部３２を有し、これらの各々は、容器本体３０の上側の開いている端部４４に隣接して配置される円周上の環状リング３４からわずかな距離だけ離れており、必須ではないが好適には勾配がつけられているまたは断面が三角形である。対応する容器閉鎖体４０は、容器本体の開いている上側端部４４に係合可能である閉鎖体キャップ部分４２と、容器本体３０上の同数の複数の突出部３２に係合されるように離間されかつそのような大きさである中に形成される複数の孔４８を有する環状バンド４６の形態の取付機能部とを含む。示される実施形態では、孔４８は断面が概略長方形である。突出部が孔より少なくてもよいことが理解されよう。リビングヒンジ５０は、容器・閉鎖体・キャップ部分４２を取付機能部即ちリム４６に接続させる。容器本体３０および容器閉鎖体４０は、図１〜５の対応する要素に関連して言及した材料から形成される。
【００１８】
[0032]本発明は上述したように２つの部品で形成され得るが、本発明の別の実施形態によると、容器は２ショット形成処理を使用して単一部品として成形される。図７Ａおよび７Ｂを参照すると、容器１０の底部分１２は、モールドの一部分を乾燥剤を含む既に説明したタイプのプラスチック材料で充填することにより、その部分を硬化させたりその部分をモールドから取り外したりすることなく、形成され、容器の上側部分１８およびキャップ１４が、乾燥剤添加物を含まない既に考察したタイプのプラスチック材料を使用してモールドキャビティ内に射出される。２つの射出構成要素のためのプラスチック材料は、それらが適合性を有するように、すなわち、それらが上側部分およびキャップにおいてはそうではないが下側部分において添加剤を含む材料の実質的に連続した単一の本体を作るように、選択されなければならない。別法として、キャップ１４は、スリーショットモールディング手順により、ヒンジ部分１６のみが添加物を含まないようにして、乾燥剤添加物を含んでもよい。
【００１９】
[0033]本発明をその特定の現在好適である実施形態に関連させて説明してきたが、種々の修正および変更が当業者には提案され、請求される本発明がそのような修正および変更を含むことが意図される。例えば、本体は、丸形、楕円および正方形などの種々の形状および大きさであってよい。特定の構成の突出部および孔を説明してきたが、孔ではなく、環状部材内の溝などの別のスナップ嵌め構成が採用されてもよい。
【００２０】
[0034]加えて、容器本体上の取付機能部および容器閉鎖体上の取付機能部は、溶接または接着などによって一体に接続され得る特徴であってよい。本発明は容器本体上の突出部および環状リング内の孔を有するように示さているが、この構成は、容器本体内に孔があって環状リング内に突出部があるように逆であってもよい。
【００２１】
[0035]材料は、それらが熱または超音波のいずれかによって互いに溶接され得るように、選択されてよい。容器本体および頂部は異なる材料から同時押出しされてもよい。
[0036]キャップ自体は、不正開封防止機能ならびに／またはスナップおよびロックタイプの閉鎖体を含んでいてよい。
【００２２】
[0037]容器本体、頂部、またはその両方は、容器本体内の乾燥剤および／または酸素吸収剤ならびに／あるいは別の吸収剤の種類および能力を示すために着色被覆されていてよい。
【００２３】
[0038]出願人は、容器本体内に乾燥剤または酸素吸収剤が存在することにより、本体の性質、すなわち、撓み特性（ｗａｒｐ  ｃｈａｒａｃｔｅｒｉｓｔｉｃｓ）および収縮特性（ｓｈｒｉｎｋ  ｃｈａｒａｃｔｅｒｉｓｔｉｃｓ）が改善されることを発見した。
【００２４】
[0039]ポリプロピレンは湿気に対する有効なバリヤであるが、高い撓み特性および収縮特性を有することから、容器本体を製造するのに好適ではない。この同じ材料が、本発明による乾燥材料を備えると、撓み特性および収縮特性が大幅に改善した。
【００２５】
[0040]既に考察したように、容器本体は、水蒸気吸収材料、酸素吸収材料、臭気吸収材料、香料入りの材料、またはそれらのうちの２つ以上の組み合わせを有することができる。
【００２６】
[0041]本発明に従って作られる容器は、薬学の分野において、診断テスト用細長片をパッケージするものとして、さらには、補聴器（ｈｅａｒｉｎｇ  ａｉｄｅ）用のパッケージとして有用であり、さらには、パッケージから湿気を除去することが所望されるようなスナックおよび／またはキャンディの用途さらには任意の別の食物の用途において有用である。
【図１】
0005518907.tif 000002
【図２】
0005518907.tif 000003
【図３】
0005518907.tif 000004
【図４】
0005518907.tif 000005
【図５】
0005518907.tif 000006
【図６】
0005518907.tif 000007
【図７Ａ】
0005518907.tif 000008
【図７Ｂ】
0005518907.tif 000009